(57)【要約】【課題】  シャッターの開閉の自由度を向上した局部洗浄装置を提供する。【解決手段】  本発明の局部洗浄装置は、第１ノズル３と第２ノズル４と第１シャッター５と開閉補助部材６とを有し、開閉補助部材６は所定の動作によって第１経路を移動する係合部６４を有し、第１シャッター５は第１シャッター５の開閉に伴い第２経路で移動する被係合部５４を有し、第２経路は第１経路に重なった部分であり且つその範囲にあるときに第１シャッター５の閉方向への回動を制限するように係合部６４が被係合部５４に係合可能である係合範囲を有し、係合範囲は第１ノズル３の突出位置に対応する第１シャッター５の開位置から第１シャッター５を開方向に向けて所定の範囲だけ回動させた範囲を含むことを特徴とする。【選択図】図５
2014009571.tif 000002
【特許請求の範囲】
【請求項１】
開口部を有し、便器に設置される基部と、
前記基部に設置され、前記開口部に噴出口が臨み、前記噴出口から人体局部へと温風を噴出する温風ダクトと、
前記温風ダクトに近接して前記基部に設置され、前記開口部よりも人体側で人体局部に向かって突出し洗浄液を噴出する突出位置と前記突出位置よりも前記基部側である待機位置との間を移動可能な第１ノズルと、
前記温風ダクト及び前記第１ノズルに近接して前記基部に設置され、前記開口部よりも人体側で人体局部に向かって突出し洗浄液を噴出する突出位置と前記突出位置よりも前記前記基部側である待機位置との間を移動可能な第２ノズルと、
第１軸部と、前記第１軸部を中心として前記開口部を開閉可能に回動する第１蓋部とを備え、前記第１ノズルの移動に応じて前記第１蓋部が開閉する第１シャッターと、
前記第２ノズルの移動に応じて所定の動作を行い、前記第１シャッターの開閉を補助する開閉補助部材と、
を有し、
前記開閉補助部材は前記所定の動作によって第１経路を移動する係合部を有し、
前記第１シャッターは、前記第１シャッターの開閉に伴い第２経路で移動する被係合部を有し、
前記第２経路は、前記第１経路に重なった部分であり且つその範囲にあるときに前記第１シャッターの閉方向への回動を制限するように前記係合部が前記被係合部に係合可能である係合範囲を有し、
前記係合範囲は前記第１ノズルの前記突出位置に対応する第１シャッターの開位置から第１シャッターを開方向に向けて所定の範囲だけ回動させた範囲を含むことを特徴とする局部洗浄装置。
【請求項２】
前記噴出口から温風を噴出する際、
前記第２ノズルの位置を前記待機位置近傍にして前記係合部を前記係合範囲外に保持した状態、且つ、前記第１ノズルを移動させることで前記被係合部を前記係合範囲内に入れ、前記第２ノズルを前記突出位置に向けて突出させることで前記係合部を前記被係合部に係合させて前記第１シャッターを開方向に回動させる請求項１に記載の局部洗浄装置。
【請求項３】
前記第１シャッターは前記第１軸部と前記第１蓋部とを連結する第１腕部を有し、
前記第１蓋部は前記第１軸部よりも前記突出位置側に位置し、
前記第１軸部は前記第１蓋部の一端に近く、
前記第１腕部の前記第１蓋部に連結する一方端は前記第１蓋部の前記第１軸部から離れた他端に結合し、
前記被係合部は前記第１軸部に近い前記第１腕部の途中に位置する請求項１又は２に記載の局部洗浄装置。
【請求項４】
前記開閉補助部材は、前記第２ノズルの移動に応じて第２軸部を中心として回動し、
前記第１軸部及び前記第２軸部は、並列した前記第１ノズル及び前記第２ノズルの上下左右の何れか近傍に位置し、前記第２軸部は前記第１軸部と異なる位置に配置される請求項１〜３の何れか１項に記載の局部洗浄装置。
【発明の詳細な説明】
【技術分野】
【０００１】
本発明は、局部洗浄装置に関し、特にビデ用ノズルとおしり用ノズルと温風を噴出できる温風ダクトとを有する局部洗浄装置に関する。
【背景技術】
【０００２】
局部洗浄装置には、人体局部に洗浄液を噴出する洗浄ノズルと、人体局部に温風を噴出する温風ダクトとを有するタイプがある。温風ダクトは温風を噴出する噴出口に開閉可能な蓋が取り付けられており、温風を噴出していない際は閉じられている。これは噴出口内に液体等が浸入し、付着しないようにするためと、蓋に液体等が付着した場合でも清掃しやすいことが考慮されている。蓋は噴出口を覆うように平らな面であるため、汚れが見つけにくかったり掃除道具が入りにくかったりする噴出口の内部を清掃することに比べた場合、清掃がしやすい。更に、温風ダクトだけでなく、温風ダクト及び洗浄ノズルが配置される開口部全体を覆う大きめの蓋を有する局部洗浄装置も開発され、市販されている。これは、局部洗浄装置は使用されていないが便器を利用している際の跳ね返った液体等が噴出口やノズル先端付近に付着するのを回避でき、大きな蓋であれば清掃がしやすい。もちろん、局部洗浄装置自体が視覚的に隠されるなどのデザイン性も考慮している。
【０００３】
ところで、温風ダクトの噴出口だけの蓋と洗浄ノズル及び温風ダクトも覆う蓋とを有するタイプの局部洗浄装置には、例えば特許文献１がある。特許文献１の局部洗浄装置では、洗浄ノズル及び温風ダクトの先端が位置する開口部を覆うように配置された第１シャッターと、第１シャッターの内側に位置し、温風ダクトの噴出口に配置された温風用シャッターとを備えている。第１シャッター及び温風用シャッターは、温風ダクトの上方に軸中心が位置し、下方が回動することで開閉する。そのため、温風用シャッターの開角度は、第１シャッターの開角度より小さい角度になる。特許文献１の第１シャッターは、洗浄ノズルを押し出すことで開回動するため、洗浄ノズルで第１シャッターを十分に押し上げられなければ、温風用シャッターの開角度が狭くなり、温風ダクトから温風を噴出しても温風用シャッターで温風の噴出が制限されてしまう。
【先行技術文献】
【特許文献】
【０００４】
【特許文献１】特開２００８−１２１３０５号公報
【発明の概要】
【発明が解決しようとする課題】
【０００５】
本発明は、上記状況に鑑みてなされたもので、開口部を開閉可能なシャッターによって温風の噴出が制限されないなどシャッターの開閉の自由度を向上した局部洗浄装置を提供することを解決すべき課題とする。
【課題を解決するための手段】
【０００６】
上記課題を解決するための（１）の発明の構成上の特徴は、開口部を有し、便器に設置される基部と、
前記基部に設置され、前記開口部に噴出口が臨み、前記噴出口から人体局部へと温風を噴出する温風ダクトと、
前記温風ダクトに近接して前記基部に設置され、前記開口部よりも人体側で人体局部に向かって突出し洗浄液を噴出する突出位置と前記突出位置よりも前記基部側である待機位置との間を移動可能な第１ノズルと、
前記温風ダクト及び前記第１ノズルに近接して前記基部に設置され、前記開口部よりも人体側で人体局部に向かって突出し洗浄液を噴出する突出位置と前記突出位置よりも前記前記基部側である待機位置との間を移動可能な第２ノズルと、
第１軸部と、前記第１軸部を中心として前記開口部を開閉可能に回動する第１蓋部とを備え、前記第１ノズルの移動に応じて前記第１蓋部が開閉する第１シャッターと、
前記第２ノズルの移動に応じて所定の動作を行い、前記第１シャッターの開閉を補助する開閉補助部材と、
を有し、
前記開閉補助部材は前記所定の動作によって第１経路を移動する係合部を有し、
前記第１シャッターは、前記第１シャッターの開閉に伴い第２経路で移動する被係合部を有し、
前記第２経路は、前記第１経路に重なった部分であり且つその範囲にあるときに前記第１シャッターの閉方向への回動を制限するように前記係合部が前記被係合部に係合可能である係合範囲を有し、
前記係合範囲は前記第１ノズルの前記突出位置に対応する第１シャッターの開位置から第１シャッターを開方向に向けて所定の範囲だけ回動させた範囲を含むことである。
【０００７】
上記（１）の発明は以下に記す（２）〜（４）の構成のうちの１つ以上を任意に加えて採用できる。
（２）前記噴出口から温風を噴出する際、
前記第２ノズルの位置を前記待機位置近傍にして前記係合部を前記係合範囲外に保持した状態、且つ、前記第１ノズルを移動させることで前記被係合部を前記係合範囲内に入れ、前記第２ノズルを前記突出位置に向けて突出させることで前記係合部を前記被係合部に係合させて前記第１シャッターを開方向に回動させる。
（３）前記第１シャッターは前記第１軸部と前記第１蓋部とを連結する第１腕部を有し、
前記第１蓋部は前記第１軸部よりも前記突出位置側に位置し、
前記第１軸部は前記第１蓋部の一端に近く、
前記第１腕部の前記第１蓋部に連結する一方端は前記第１蓋部の前記第１軸部から離れた他端に結合し、
前記被係合部は前記第１軸部に近い前記第１腕部の途中に位置する。
（４）前記開閉補助部材は、前記第２ノズルの移動に応じて第２軸部を中心として回動し、
前記第１軸部及び前記第２軸部は、並列した前記第１ノズル及び前記第２ノズルの上下左右の何れか近傍に位置し、前記第２軸部は前記第１軸部と異なる位置に配置される。
【発明の効果】
【０００８】
（１）の発明においては、開閉補助部材が第１経路を移動する係合部を有し、第１シャッターが第２経路で移動する被係合部を有し、第１経路と第２経路とは重なる部分がある。第２経路は、第１経路に重なった部分であり且つその範囲にあるときに前記第１シャッターの閉方向への回動を制限するように係合部が被係合部に係合可能である係合範囲を有する。係合範囲は、第１ノズルの突出位置に対応する第１シャッターの開位置から第１シャッターを開方向に向けて所定の範囲だけ回動させた範囲を含むため、第１シャッターは第１ノズルで開回動するよりも所定の範囲開方向に回動することができる。よって、（１）の発明によれば、第１シャッターの開閉の自由度が向上し、例えば、第１ノズルによって温風の噴出が制限されにくいなどの効果がある。
【０００９】
（２）の発明においては、噴出口から温風を噴出する際、第２ノズルの位置を待機位置近傍にして係合部を干渉範囲外に保持した状態、且つ、第１ノズルを移動させることで被係合部を干渉範囲内に入れ、第２ノズルを突出位置に向けて突出させることで係合部を被係合部に係合させて第１シャッターを開方向に回動させることができる。よって、（２）の発明によれば、温風の噴出が第１シャッターで制限されにくい。
【００１０】
（３）の発明においては、第１軸部と第１蓋部とを連結する第１腕部の途中に被係合部が位置し、第１蓋部が第１軸部よりも突出位置側に位置し、第１軸部が第１蓋部の一端に近く、第１腕部の第１蓋部に連結する一方端が第１蓋部の第１軸部から離れた他端に結合する。よって、（３）の発明によれば、第１シャッターは第１ノズルの短い移動でも十分に開回動することができ、更に係合部と被係合部とが係合している状態では第２ノズル短い移動でも十分に開回動することができる。
【００１１】
（４）の発明においては、開閉補助部材が前記第２ノズルの移動に応じて第２軸部を中心として回動し、第１軸部及び第２軸部が、並列した第１ノズル及び第２ノズルの上下左右の何れか近傍に位置する。そして、第２軸部は第１軸部と異なる位置に配置されるため、第１シャッターの回動によって開閉補助部材の回動が抑制されにくい。
【図面の簡単な説明】
【００１２】
【図１】実施形態１の局部洗浄装置の構成図である。
【図２】実施形態１の局部洗浄装置を搭載した温水洗浄便座装置の左前方下側の斜視図である。
【図３】図１の一部拡大図である。
【図４】「ビデ洗浄機能」を使用している状態の実施形態１の局部洗浄装置の主要部を示す説明図である。
【図５】各機能を使用していない状態の実施形態１の局部洗浄装置の主要部を示す説明図である。
【図６】「おしり洗浄機能」を使用している状態の実施形態１の局部洗浄装置の主要部を示す説明図である。
【図７】実施形態１の局部洗浄装置の主要部の右後方斜視図である。
【図８】実施形態１の局部洗浄装置の主要部の右前方斜視図である。
【図９】「ビデ洗浄機能」を使用している状態の実施形態１の局部洗浄装置を搭載した温水洗浄便座装置の左前方下側の斜視図である。
【図１０】「おしり洗浄機能」を使用している状態の実施形態１の局部洗浄装置を搭載した温水洗浄便座装置の左前方下側の斜視図である。
【図１１】「温風機能」を使用する際の温風を噴出する前の実施形態１の局部洗浄装置の主要部を示す説明図である。
【図１２】「温風機能」を使用する際の温風を噴出する前の実施形態１の局部洗浄装置の主要部を示す説明図である。
【図１３】「温風機能」を使用して温風を噴出可能な状態の実施形態１の局部洗浄装置の主要部を示す説明図である。
【図１４】図１１の実施形態１の局部洗浄装置を搭載した温水洗浄便座装置の左前方下側の斜視図である。
【図１５】図１２の実施形態１の局部洗浄装置を搭載した温水洗浄便座装置の左前方下側の斜視図である。
【図１６】図１４の実施形態１の局部洗浄装置を搭載した温水洗浄便座装置の左前方下側の斜視図である。
【図１７】各機能を使用していない状態の実施形態２の局部洗浄装置の主要部を示す説明図である。
【図１８】「ビデ洗浄機能」を使用している状態の実施形態２の局部洗浄装置の主要部を示す説明図である。
【図１９】「おしり洗浄機能」を使用している状態の実施形態２の局部洗浄装置の主要部を示す説明図である。
【図２０】「温風機能」を使用する際の温風を噴出する前の実施形態２の局部洗浄装置の主要部を示す説明図である。
【図２１】「温風機能」を使用する際の温風を噴出する前の実施形態２の局部洗浄装置の主要部を示す説明図である。
【図２２】「温風機能」を使用して温風を噴出可能な状態の実施形態２の局部洗浄装置の主要部を示す説明図である。
【図２３】各機能を使用していない状態の実施形態６の局部洗浄装置の主要部を示す説明図である。
【図２４】「ビデ洗浄機能」を使用している状態の実施形態４の局部洗浄装置の主要部を示す説明図である。
【図２５】「おしり洗浄機能」を使用している状態の実施形態４の局部洗浄装置の主要部を示す説明図である。
【図２６】「温風機能」を使用する際の温風を噴出する前の実施形態４の局部洗浄装置の主要部を示す説明図である。
【図２７】「温風機能」を使用する際の温風を噴出する前の実施形態４の局部洗浄装置の主要部を示す説明図である。
【図２８】「温風機能」を使用して温風を噴出可能な状態の実施形態４の局部洗浄装置の主要部を示す説明図である。
【発明を実施するための形態】
【００１３】
本発明の代表的な実施形態を図１〜図２８を参照して説明する。本実施形態に係る局部洗浄装置は、便器（図示略）に設置される。なお、上下方向は下方向が引力方向、上方向は下方向の逆方向である。そして、前後左右方向は便器の使用者が着座している状態で、使用者の前後左右に対応する。
【００１４】
（実施形態１）
本実施形態１の局部洗浄装置は、図１に示されるように、基部１１と、温風ダクト２１と、ビデ用ノズル（第１ノズル）３と、おしり用ノズル（第２ノズル）４と、第１シャッター５と、第２シャッター（開閉補助部材）６と制御手段（図示略）を有する。
【００１５】
基部１１は、開口部１０を有し、便器（図示省略）の上部後方に設置される。基部１１の底面は、便器に接する陶器面１１Ｃである。開口部１０は、基部１１の左右方向の中央部分に位置し、後述する第１シャッター５の第１蓋部５１によって開閉可能である。図１には、第１蓋部５１が開回動しており、開口部１０が開口した状態が図示されている。図２には、開口部１０が第１蓋部５１によって閉ざされている状態が図示されている。なお、図２には、基部１１の上にカバー１２が取り付けられており、更に使用者が着座する便座１３がカバー１２に取り付けられている局部洗浄装置が搭載された温水洗浄便座装置が図示されている。
【００１６】
温風ダクト２１は、図１及び図３に示されるように、開口部１０に噴出口２２が開口部１０の右方に臨むように、基部１１に配置されている。温風ダクト２１の内部にはファン（図示省略）及び熱源（図示省略）が配置されており、温風ダクト２１は噴出口２２から人体局部へ温風を噴出することができる。なお、温風ダクト２１の噴出口２２には、噴出口２２から噴出される風によって、開回動する蓋を有するものを採用しても良い。
【００１７】
ビデ用ノズル３及びおしり用ノズル４は、上下に並んでノズルケース１４内に収納されて温風ダクト２１の左隣りに近接して基部１１に配置されている。ノズルケース１４の左方には、ビデ用ノズル３及びおしり用ノズル４のそれぞれに洗浄液を供給するホース１５１，１５２が配置されている。ビデ用ノズル３及びおしり用ノズル４は、ビデ用ノズル３が上に位置している。もちろん、上下の配置は交換可能であり、入れ替えたものでも良い。
【００１８】
ビデ用ノズル３は、図４に示されるように、洗浄液が噴出可能なビデノズル先端３１とラック３２とを有し、開口部１０側のビデノズル先端３１から後方に向かって後方が上方に位置するように傾斜して配設されている。ビデ用ノズル３がノズルケース１４に収納されている位置がビデ用ノズル３の待機位置である（図５参照）。そして、ビデノズル先端３１が開口部１０よりも人体局部側の前方に突出した位置であり、人体局部を洗浄するために洗浄液を噴出できる位置がビデ用ノズル３の突出位置である（図４参照）。ビデ用ノズル３は、待機位置と突出位置との間を、右側面のラック３２に噛合している歯車機構１６の歯車１６１の回転によって移動する。歯車機構１６は、図１及び図３に示されるように、ノズルケース１４の右方、つまり温風ダクト２１とノズルケース１４との間に配置されている。ビデ用ノズル３が突出する前方且つ下方への方向を突出方向と称する。そして、突出方向の逆方向を収納方向と称する。
【００１９】
おしり用ノズル４は、図６に示されるように、洗浄液が噴出可能なおしりノズル先端４１とラック４２とを有し、開口部１０側のおしりノズル先端４１から後方に向かって後方が上方に位置するように傾斜して配設されている。おしり用ノズル４がノズルケース１４に収納されている位置がおしり用ノズル４の待機位置である（図５参照）。そして、おしりノズル先端４１が開口部１０よりも人体局部側の前方に突出した位置であり、人体局部を洗浄するために洗浄液を噴出できる位置がおしり用ノズル４の突出位置である（図６参照）。おしり用ノズル４は、待機位置と突出位置との間を、右側面のラック４２に噛合している歯車機構１６の歯車１６２の回転によって移動する。
【００２０】
第１シャッター５は、図７及び図８に示されるように、第１蓋部５１と第１軸部５２と第１腕部５３と被係合部５４とを有する。第１蓋部５１は、開口部１０を覆う大きさの板状部材である（図１〜３参照）。第１軸部５２は、開口部１０の上方、ノズルケース１４の前方側の上方付近に回動可能に軸支されている。第１腕部５３は、ノズルケース１４の左右に１つずつ配置されており、第１蓋部５１と第１軸部５２とを連結する。被係合部５４は、第１蓋部５１と第１軸部５２との間の一方の第１腕部５３の途中に位置し、第１腕部５３よりもノズルケース１４側に突出した形状である。図７及び図８では、第１シャッター５が、開口部１０をオープンにするように開回動した状態が図示されている。
【００２１】
ビデ用ノズル３及びおしり用ノズル４が突出方向に突出しておらず待機位置にあり、第１シャッター５によって開口部１０がクローズされている状態が図５に図示されている。ビデ用ノズル３及びおしり用ノズル４が待機位置の際、第１蓋部５１は突出方向に対して垂直に近い状態である。第１腕部５３は、第１蓋部５１の裏面５１Ｒ（ビデノズル先端３１及びおしりノズル先端４１に対抗する面）の下側から収納方向側を経由して第１軸部５２に連結する。被係合部５４は第１軸部５２から収納方向側に位置する。第１腕部５３は、第１軸部５２から収納方向にほぼ平行な直線で被係合部５４に到達し、被係合部５４から略直角に延長され、更に途中緩やかに略直角に曲がって、第１蓋部５１の裏面５１Ｒに結合する。第１シャッター５は、第１軸部５２を中心として第１蓋部５１が開口部１０を開閉可能に回動する。第１シャッター５は、ビデ用ノズル３のビデノズル先端３１又はおしり用ノズル４のおしりノズル先端４１が第１蓋部５１の裏面５１Ｒに当接し、ビデ用ノズル３又はおしり用ノズル４の移動に応じて回動する。よって、ビデノズル先端３１又はおしりノズル先端４１が当接していない第１シャッター５の閉位置で、第１蓋部５１が突出方向に対してほぼ垂直に近い状態を維持するように第１シャッター５はバネ（図示略）によって閉方向に付勢されている。第１シャッター５は、閉位置（図５参照）、ビデ開口位置（図４参照）、おしり開口位置（図６参照）、及び温風開口位置（図７及び図８参照）を有する。
【００２２】
第２シャッター６は、図５に示されるように、ノズルケース１４の下方に位置し、第２蓋部６１と第２軸部６２と第２腕部６３と係合部６４とを有する。第２蓋部６１は、図８に示されるように、おしり用ノズル４のおしりノズル先端４１よりも若干左右方向に大きい。第２蓋部６１は、図５に示されるように、ノズルケース１４の突出方向側に位置し、第１シャッター５の第１蓋部５１よりも収納方向側に位置する。第２軸部６２は、ノズルケース１４の突出方向側の下方端近傍に位置する。第２腕部６３は、ノズルケース１４の左右に１つずつ配置されており、第２蓋部６１からノズルケース１４に沿って、収納方向に延長された形状を有する。係合部６４は、第２腕部６３の収納方向側端部に位置する。第２軸部６２、第２腕部６３、及び被係合部６４は、左右方向において、第１シャッターの第１腕部５３よりもノズルケース１４に近接する。第２シャッター６は、図６〜８に示されるように、第２軸部６２を中心として係合部６４が上方に移動するように回動する。図６〜８は、第２シャッター６が開回動した状態が図示されている。第２シャッター６はおしり用ノズル４のおしりノズル先端４１が当接し、おしり用ノズル４の移動に応じて回動する。よって、おしりノズル先端４１が当接していない第２シャッター６の閉位置で、第２蓋部６１が突出方向に対してほぼ垂直に近い状態を維持するように第２シャッター６はバネ（図示略）によって閉方向に付勢されている。第２シャッター６は、閉位置（図５参照）及び全開位置（図６〜８参照）を有する。
【００２３】
第２シャッター６の係合部６４は、第２シャッターの開閉に伴い第１経路で移動する。第１経路は、第２シャッター６が第２軸部６２を中心に閉位置（図５参照）から全開位置（図６参照）に回動する際に係合部６４が移動する経路である。第１シャッター５の被係合部５４は、第１シャッター５の開閉に伴い第２経路で移動する。第２経路は、第１シャッター５が第１軸部５２を中心に閉位置（図５参照）から温風開口位置（図７及び図８参照）に回動する際に被係合部５４が移動する経路を含む。第２経路は、第１経路に重なった部分であり、且つ、その範囲にあるときに第１シャッター５の閉方向への回動を制限するように係合部６４が被係合部５４に結合可能な係合範囲を有する。係合範囲は、第１シャッター５をビデ開口位置（図４参照）から開方向に向けて所定の範囲だけ回動させた範囲を含む。所定の範囲とは、係合した係合部と被係合部との係合が維持できる範囲である。
【００２４】
制御手段は、ビデ洗浄制御部とおしり洗浄制御部と温風制御部とを有する。ビデ洗浄制御部は、ビデ用ノズル３の移動及び停止動作とビデノズル先端３１からの温水の噴出及び停止とを制御する。おしり洗浄制御部は、おしり用ノズル４の移動及び停止動作をおしりノズル先端４１からの温水の噴出及び停止を制御する。温風制御部はビデ用ノズル３及びおしり用ノズル４の移動及び停止動作と温風の噴出及び停止とを制御する。
【００２５】
次に、ビデを洗浄するビデ洗浄機能、おしりを洗浄するおしり洗浄機能、及び温風を使用する温風機能を使用する場合についてそれぞれ説明する。制御手段は、ビデ洗浄機能、おしり洗浄機能、及び温風機能が使用されていない場合は、ビデ用ノズル３及びおしり用ノズル４を共にノズルケース１４に収納された待機位置にある。第１シャッター５及び第２シャッター６は、図５に示されるように、閉位置である。
【００２６】
＜ビデ洗浄機能＞
制御手段のビデ洗浄制御部は、ビデ洗浄機能を使用するという信号を受信すると、ビデ用ノズル３を待機位置から突出位置まで突出させる。ビデ用ノズル３が突出位置の時、図４に示されるように、ビデノズル先端３１によって第１シャッター５は開回動し、第１蓋部５１が押し上げられる。この状態の第１シャッター５の位置がビデ開口位置である。図９に、突出方向のやや左下側から見たビデ洗浄機能使用している温水便座装置が図示されている。ビデ洗浄制御部は、ビデ用ノズル３のビデノズル先端３１から温水を噴出する。そして、ビデ洗浄制御部はビデ洗浄機能の使用を終了する信号を受信すると、温水の噴出を停止し、ビデ用ノズル３を突出位置から待機位置に移動させる。”ビデ洗浄機能”が使用されている間、第２シャッター６は閉位置のままである。ビデ洗浄機能が使用されている間、おしり用ノズル４のおしりノズル先端４１は第２シャッター６によって突出方向からの水等の跳ね返りを避けることができる。
【００２７】
＜おしり洗浄機能＞
制御手段のおしり洗浄制御部は、おしり洗浄機能を使用するという信号を受信すると、おしり用ノズル４を待機位置から突出位置まで突出させる。おしり用ノズル４が突出位置の時、図６に示されるように、おしりノズル先端４１によって第１シャッター５及び第２シャッター６は開回動し、第１蓋部５１が押し上げられ、第２蓋部６１が突出方向にほぼ平行になる。この状態の第１シャッター５の位置がおしり開口位置で、第２シャッター６の位置が全開位置である。おしり用ノズル４によっておしり開口位置に開回動した第１シャッター５の開角度は、ビデ用ノズル３によって開回動したビデ開口位置の開角度よりも角度が小さい。図１０に、突出方向のやや左下側から見たおしり洗浄機能使用している温水便座装置が図示されている。おしり洗浄制御部は、おしり用ノズル４のおしりノズル先端４１から温水を噴出する。そして、おしり洗浄制御部はおしり洗浄機能の使用を終了する信号を受信すると、温水の噴出を停止し、おしり用ノズル４を突出位置から待機位置に移動させる。なお、ビデ用ノズル３のビデノズル先端３１は、図６に示されるように、突出方向からは第１蓋部５１によって隠れており、突出方向からの水等の跳ね返りを避けることができる。
【００２８】
＜温風機能＞
制御手段の温風制御部は、温風機能を使用するという信号を受信すると、以下に示すように制御を行う。
（１）ビデ用ノズル３を突出方向に突出させて、第１シャッター５の被係合部５４を係合範囲に入れる。被係合部５４が係合範囲に入るビデ用ノズル３の位置が補助回動ビデ位置であり、第１シャッター５はビデ開口位置である（図１１及び図１４参照）。
（２）ビデ用ノズル３を補助回動ビデ位置以上に保持したまま、おしり用ノズル４を突出方向に突出させ、第２シャッター６の係合部６４を被係合部５４に係合させる（図１２及び図１５参照）。係合部６４が被係合部５４に係合するおしり用ノズル４の位置が補助回動おしり位置である。※（２）の状態でビデ用ノズル３を待機位置に移動させても第１シャッター５は閉回動しない。
（３）おしり用ノズル４を補助回動おしり位置よりも突出方向に突出させ、第２シャッター６を全開位置に開回動する（図１３及び図１６参照）。係合部６４が被係合部５４に係合している状態で第２シャッター６が全開位置に回動した第１シャッター５の位置が温風開口位置である。
（４）おしり用ノズル４を補助回動おしり位置以上に保持したままの状態で、温風ダクトから温風を噴出させる。
【００２９】
温風制御部は、温風機能の使用を終了する信号を受信すると、温風の噴出を停止し、ビデ用ノズル３及びおしり用ノズル４を待機位置に収納させる。
【００３０】
温風機能を使用する場合、温風制御部は（１）、（２）の順番でビデ用ノズル３及びおしり用ノズル４の移動を制御し、第２シャッター６の係合部６４を第１シャッター５の被係合部５４に係合させる（図１２参照）。そして、係合部６４が被係合部５４に係合している状態で、温風制御部が（３）の制御を行うことで、係合部６４が被係合部５４を突出方向に押し出し、第１シャッター５がビデ用開口位置以上に開回動し、温風開口位置に至る。温風開口位置の開角度は、ビデ開口位置及びおしり開口位置の開角度より大きい。第１シャッター５の温風開口位置は、ノズルケース１４に隣接している温風ダクト２１の噴出口２２から温風を噴出する際、第１蓋部５１によって温風の噴出が妨げられない位置である。本実施形態１の局部洗浄装置は、温風制御部が（１）、（２）の順にビデ用ノズル３及びおしり用ノズル４の移動を制御しない場合、係合部６４が被係合部５４に係合しないように各構成要素の相対位置（長さ・角度・回動中心）が設計されている。そのため、図６に示されているように、「おしり洗浄機能」を使用する際は、第１シャッター５が開回動しても被係合部５４は係合範囲に入らない、あるいは係合範囲に入らないうちに係合部６４が係合範囲を移動して、被係合部５４に係合しない。
【００３１】
温風制御部は、係合部６４が被係合部５４に係合した（２）の制御後、ビデ用ノズル３を補助回動ビデ位置に保持しない制御でも良い。それは、ビデ用ノズル３が補助回動ビデ位置よりも収納方向に移動しても第１シャッター５は閉方向に回動しないし、ビデ用ノズル３を突出方向に突出させても第１シャッター５はビデ開口位置以上に開回動しないためである。また、温風制御部は、（３）の制御以降、おしり用ノズル４について補助回動おしり位置以上を維持するならば、おしり用ノズル４を突出方向又は収納方向に移動させる制御でもよい。ただし、温風の噴出する経路を邪魔や横断するほど突出する位置は好ましくない。
【００３２】
本実施形態１の局部洗浄装置によれば、ビデ洗浄機能及びおしり洗浄機能を使用する際、第１シャッター５は開口部１０を開口しすぎず、温風機能を使用する際は温風の噴出を第１シャッター５の第１蓋部５１によって制限されにくい。また、噴出口２２に蓋を有している場合でも、噴出口２２の蓋の開回動を第１シャッター５によって抑制されにくい。
【００３３】
その他、第１シャッター５及び第２シャッター６の回動はビデ用ノズル３及びおしり用ノズル４の動作に連動しており、第１シャッター５及び第２シャッター６のための動力源を搭載せずに、第１シャッター５を大きく回動させることができる。
【００３４】
（実施形態２）
本実施形態２の局部洗浄装置は、図１７〜図２２に示されるように、基本的な構成が実施形態１の局部洗浄装置と同様であり、同様の作用効果を有する。以下では、異なる構成を中心に説明していく。
【００３５】
本実施形態２の局部洗浄装置で用いられる第１シャッター７は、図１７に示されるように、第１蓋部７１と第１軸部７２と第１腕部３と被係合部７４とを有する。第１蓋部７１は、開口部１０を覆う大きさの板状部材である。第１軸部７２は、開口部１０の上方、ノズルケース１４の上方付近に回動可能に軸支されている。第１腕部７３は、ノズルケース１４の左右に１つずつ配置されており、第１蓋部７１と第１軸部７２とを連結する。第１腕部７３は、一端が第１蓋部７１の裏面７１Ｒから収納方向に延び、直角に曲がって第１蓋部７１の面方向に沿って第１軸部７２に到達する。そして、第１腕部７３は、第１軸部７２から収納方向に延び、他端に被係合部７４が位置する。第１腕部７３と第１蓋部７１とは、第１軸部７２よりも第１蓋部７１の面方向で離れた位置、第１蓋部７１の下方よりの部分で連結している。
【００３６】
図１７には、実施形態２の局部洗浄装置が「ビデ洗浄機能」、「おしり洗浄機能」、「温風機能」を使用していない状態が図示されている。ビデ用ノズル３及びおしり用ノズル４は待機位置で、第１シャッター７及び第２シャッター６は閉位置である。図１８には、実施形態２の局部洗浄装置が「ビデ洗浄機能」を使用している状態が図示されている。ビデ用ノズル３は突出位置、おしり用ノズル４は待機位置、第１シャッター７はビデ開口位置、第２シャッター６は閉位置である。図１９には、実施形態２の局部洗浄装置が「おしり洗浄機能」を使用している状態が図示されている。ビデ用ノズル３は待機位置、おしり用ノズル４は突出位置、第１シャッター７はおしり開口位置、第２シャッター６は全開位置である。
【００３７】
図２０〜２２には、実施形態２の局部洗浄装置が「温風機能」を使用している状態が図示されている。まず、制御手段の温風制御部は、（１）ビデ用ノズル３を突出方向で補助回動ビデ位置以上に突出させて、第１シャッター５の被係合部５４を係合範囲に入れる。第１シャッター７は、ビデ開口位置に開回動する（図２０参照）。（２）ビデ用ノズル３を補助回動ビデ位置以上に保持したまま、おしり用ノズル４を突出方向に突出させ、第２シャッター６の係合部６４を被係合部５４に係合させる（図２１参照）。（３）おしり用ノズル４を補助回動おしり位置よりも突出方向に突出させ、第２シャッター６を全開位置に開回動する（図２２参照）。（４）おしり用ノズル４を補助回動おしり位置以上に保持したままの状態で、温風ダクトから温風を噴出させる。温風制御部は、（１）、（２）の順でビデ用ノズル３及びおしり用ノズル４の移動を制御することで、第２シャッター６の係合部６４を第１シャッター７の被係合部７４に係合させる。そして、（３）を実行することで、第１シャッター７がビデ開口位置から温風開口位置に開角度が大きくなるように開回動する。よって、第１シャッター７が温風開口位置で、温風を噴出しても第１蓋部７１によって、温風の噴出が妨げられない。
【００３８】
（実施形態３）
本実施形態３の局部洗浄装置は、基本的な構成が実施形態１又は実施形態２の局部洗浄装置と同様であり、同様の作用効果を有する。以下では、異なる構成を中心に説明していく。
【００３９】
実施形態３の局部洗浄装置は、ビデ用ノズルがおしり用ノズルの下側で、ビデ用ノズルとおしり用ノズルが上下に配置される。実施形態１の局部洗浄装置と、入れ替わった配置である。実施形態１又は実施形態２の局部洗浄装置について、「ビデ」を「おしり」、「おしり」を「ビデ」に置き換える。実施形態３の局部洗浄装置において、「ビデ洗浄機能」を使用している状態が図６又は図１９に相当し、「おしり洗浄機能」を使用している状態が図４又は図１８に相当する。
【００４０】
そして、制御手段の温風制御部は、おしり用ノズルを突出方向に突出させて第１シャッターの被係合部を係合範囲に入れ、ビデ用ノズルを突出方向に突出させて第２シャッターの係合部を被係合部に係合させ、ビデ用ノズルを更に突出方向に突出させて第２シャッターを全開位置に開回動する。第１シャッターは温風開口位置となり、温風制御部は温風ダクトから温風を噴出させる。
【００４１】
（実施形態４）
本実施形態４の局部洗浄装置は、基本的な構成は実施形態１の局部洗浄装置と同じ構成及び作用効果を有する。以下では、異なる構成を中心に説明していく。
【００４２】
実施形態４の局部洗浄装置は、ビデ用ノズル３が左、おしり用ノズル４が右で、ビデ用ノズル３とおしり用ノズル４とが左右に並んで配置されている。第１シャッター５の第１軸部５２は、左右に並んで配置されるビデ用ノズル３及びおしり用ノズル４を収納するノズルケース１４の前方側の上方付近に回動可能に軸支されている。第１シャッター５の第１腕部５３は、図２３に示されるように、第１蓋部５１と第１軸部５２とを連結し、ノズルケース１４の左右側にそれぞれに位置する。第２シャッター６の第２蓋部６１は、おしり用ノズル４のおしりノズル先端４１と開口部の全体を開閉可能な第１シャッター５の第１蓋部５１との間に位置する。つまり、第２蓋部６１は、ビデ用ノズル３のビデノズル先端３１と第１蓋部５１との間にはない。そのため、第２シャッター６は、おしり用ノズル４が待機位置にあり、ビデ用ノズル３だけが移動しても回動しない。第２シャッター６の第２腕部６３は、左右方向でおしり用ノズル４が位置するノズルケース１４の左側にあり、片腕で第２蓋部６１と連結する。第２シャッター６の係合部６４は、第２蓋部６１の端部に位置し、第２蓋部６１と連結するのとは逆の端部に位置する。
【００４３】
図２３には、実施形態４の局部洗浄装置が「ビデ洗浄機能」、「おしり洗浄機能」、「温風機能」を使用していない状態が図示されている。ビデ用ノズル３及びおしり用ノズル４は待機位置で、第１シャッター５及び第２シャッター６は閉位置である。図２４には、実施形態４の局部洗浄装置が「ビデ洗浄機能」を使用している状態が図示されている。ビデ用ノズル３は突出位置、おしり用ノズル４は待機位置、第１シャッター５はビデ開口位置、第２シャッター６は閉位置である。図２５には、実施形態２の局部洗浄装置が「おしり洗浄機能」を使用している状態が図示されている。ビデ用ノズル３は待機位置、おしり用ノズル４は突出位置、第１シャッター５はおしり開口位置、第２シャッター６は全開位置である。なお、第１シャッター５のおしり開口位置は、ビデ開口位置とほぼ同じ開角度である。これは、ビデ用ノズル３とおしり用ノズル４とが左右に並んで配置されており、ノズルの上下方向の大きさがほぼ同じであるためである。もちろん、上下方向の大きさが大きく違えば、開角度も大きくことなる。
【００４４】
図２６〜２８には、実施形態４の局部洗浄装置が「温風機能」を使用している状態が図示されている。まず、制御手段の温風制御部は、（１）ビデ用ノズル３を突出方向で補助回動ビデ位置以上に突出させて、第１シャッター５の被係合部５４を係合範囲に入れる。第１シャッター７は、ビデ開口位置に開回動する（図２６参照）。（２）ビデ用ノズル３を補助回動ビデ位置以上に保持したまま、おしり用ノズル４を突出方向に突出させ、第２シャッター６の係合部６４を被係合部５４に係合させる（図２７参照）。（３）おしり用ノズル４を補助回動おしり位置よりも突出方向に突出させ、第２シャッター６を全開位置に開回動する（図２８参照）。（４）おしり用ノズル４を補助回動おしり位置以上に保持したままの状態で、温風ダクトから温風を噴出させる。温風が噴出される際、第１シャッター５は温風開口位置にあり、ビデ開口位置又はおしり開口位置よりも開角度が大きく、温風の噴出が第１蓋部５１によって妨げられない。
【００４５】
（その他の実施形態）
以上、本発明の好適な実施形態について説明したが、本発明は上記実施形態に限定されるものではない。例えば、第１シャッター及び第２シャッターはバネによって閉位置を維持する以外に、常に閉回動するよう又は閉位置を維持するように重心が調整されたものでも良い。また、第２シャッターは第２蓋部が突出方向及び収納方向に平行に移動する形態を採用することもできる。第１シャッターが所定角度範囲内にあるとき、第２シャッターを平行移動させると、係合部と被係合部とが係合する係合部や被係合部を設ける。
【００４６】
そして、第１シャッター又は第２シャッターの軸部がノズルケースの上方以外に配置する形態を採用することができる。その場合、第１シャッター及び第２シャッターの軸部は異なる位置が望ましい。
【００４７】
その他に、実施形態４の局部洗浄装置の構成において、第２シャッターをビデ用ノズル側に配置する形態や第２シャッターをビデ用ノズルとおしり用ノズルとに別々に配置する形態を採用することもできる。第２シャッターを２つ採用する形態の場合、「温風機能」を使用するための制御は、どちらのノズルを先に突出させてもよい。左右に並んでノズルが配置される形態で第２シャッターを２つ採用することで、一方のノズルが洗浄のために使用されていても他方のノズルは第２蓋部によってカバーすることができる。
【符号の説明】
【００４８】
１０：開口部、１１：基部、１１Ｃ：陶器面、１２：カバー、１３：便座、
１４：ノズルケース、１５：ホース、１６：歯車機構、１５１，１５２：歯車、
２１：温風ダクト、２２：噴出口、
３：ビデ用ノズル（第１ノズル）、３１：ビデノズル先端、
４：おしり用ノズル（第２ノズル）、４１：おしりノズル先端、
５，７：第１シャッター、５１，７１：第１蓋部、５１Ｒ，７１Ｒ：裏面、
５２，７２：第１軸部、５３，７３：第１腕部、５４，７４：被係合部、
６：第２シャッター、６１：第２蓋部、６１Ｒ：裏面、６２：第２軸部、
６３：第２軸部、６４：係合部。
【図１】
2014009571.tif 000003
【図２】
2014009571.tif 000004
【図３】
2014009571.tif 000005
【図４】
2014009571.tif 000006
【図５】
2014009571.tif 000007
【図６】
2014009571.tif 000008
【図７】
2014009571.tif 000009
【図８】
2014009571.tif 000010
【図９】
2014009571.tif 000011
【図１０】
2014009571.tif 000012
【図１１】
2014009571.tif 000013
【図１２】
2014009571.tif 000014
【図１３】
2014009571.tif 000015
【図１４】
2014009571.tif 000016
【図１５】
2014009571.tif 000017
【図１６】
2014009571.tif 000018
【図１７】
2014009571.tif 000019
【図１８】
2014009571.tif 000020
【図１９】
2014009571.tif 000021
【図２０】
2014009571.tif 000022
【図２１】
2014009571.tif 000023
【図２２】
2014009571.tif 000024
【図２３】
2014009571.tif 000025
【図２４】
2014009571.tif 000026
【図２５】
2014009571.tif 000027
【図２６】
2014009571.tif 000028
【図２７】
2014009571.tif 000029
【図２８】
2014009571.tif 000030